(57)【要約】【課題】一度の配布等により自社の商品などを自動的にまたは所定の操作により反復してアピールすることができる広告方法および広告システムを提供する。【解決手段】広告主１０の端末１１と、広告制作者２０の端末２１と、広告をデジタル記録媒体に格納する広告格納者３０の端末３１と、デジタル記録媒体を包装して頒布者６０に配送する配送センタ５０の端末５１と、デジタル記録媒体を頒布する頒布者６０の端末６１と、前記各端末１１、…とネットＮを介して接続されているコントロールセンタ１００に設けられたコンピュータ１１０とを備え、前記広告格納者３０によりデジタル記録媒体の一部に残部への書込みが可能な状態として広告などの情報が、当該デジタル記録媒体へのアクセスがなされた際にその情報が自動的にまたは所定の操作により表示されるようにして格納され、前記頒布者６０により所定の形態で前記デジタル記録媒体の頒布がさなれるものである。【選択図】  図１
2004317759.tif 000002
【特許請求の範囲】
【請求項１】
デジタル記録媒体の残部への書き込みが可能な状態でその一部に広告などの特定の情報を、当該デジタル記録媒体へのアクセスがなされた際にその情報が自動的にまたは所定の操作により表示されるようにして格納する手順と、
前記デジタル記録媒体を特定の頒布者を介して頒布する手順
とを含んでいることを特徴とする広告方法。
【請求項２】
広告主に設けられた端末と、広告制作者に設けられた端末と、広告制作者により制作された広告をデジタル記録媒体に格納する広告格納者に設けられた端末と、広告が格納されたデジタル記録媒体を包装して頒布者に配送する配送センタに設けられた端末と、広告が格納されたデジタル記録媒体を頒布する頒布者に設けられた端末と、前記各端末とネットを介して接続されているコントロールセンタに設けられたコンピュータと、を備えてなる広告システムであって、
前記広告格納者により、デジタル記録媒体の残部への書き込みが可能な状態でその一部に広告などの特定の情報が、当該デジタル記録媒体へのアクセスがなされた際に、その情報が自動的にまたは所定の操作により表示されるようにして格納され、
前記頒布者により、所定の形態で前記デジタル記録媒体の頒布がさなれる
ことを特徴とする広告システム。
【請求項３】
デジタル記録媒体であって、残部への書き込みが可能な状態でその一部に広告などの特定の情報が、当該デジタル記録媒体へのアクセスがなされた際にその情報が自動的にまたは所定の操作により表示されるようにして格納されてなることを特徴とするデジタル記録媒体。
【請求項４】
特定の情報が、消去に対するプロテクトがかけられて格納されてなることを特徴とする請求項３記載のデジタル記録媒体。
【請求項５】
請求項３または４記載のデジタル記録媒体を所要数含むパッケージであって、各デジタル記録媒体に格納されている情報が異なっていることを特徴とするパッケージ。
【発明の詳細な説明】
【０００１】
【発明の属する技術分野】
本発明は、広告方法および広告システムに関する。さらに詳しくは、需要者に商品広告などの特定の情報が自動的にまたはクリックなどの所定の操作により反復して伝達される広告方法および広告システムに関する。
【０００２】
【従来の技術】
従来より、広告に関し種々の手法が用いられてきている。
【０００３】
例えば、ゴルフに関心のありそうな人をターゲットとして、ゴルフ場の会員権の売買情報をダイレクトメール、ＦＡＸ、電子メールなどで案内することがなされている。また、街頭で広告が入ったティシュを街ゆく人々に手当り次第に手渡するといったこともなされている。あるいは、テレビやラジオで広告することもなされている。
【０００４】
しかしながら、前記いずれの手法も一過性であり、一度の配布により自社の製品などを反復して需要者などにアピールすることができないという問題がある。
【０００５】
【発明が解決しようとする課題】
本発明はかかる従来技術の課題に鑑みなされたものであって、一度の配布等により自社の製品や商品などを自動的にまたはクリックなどの所定の操作により反復してアピールすることができる広告方法および広告システムを提供することを目的としている。
【０００６】
【課題を解決するための手段】
本発明の第１形態は、デジタル記録媒体の残部への書き込みが可能な状態でその一部に広告などの特定の情報を、当該デジタル記録媒体へのアクセスがなされた際にその情報が自動的にまたは所定の操作により表示されるようにして格納する手順と、前記デジタル記録媒体を特定の頒布者を介して頒布する手順とを含んでいることを特徴とする広告方法に関する。
【０００７】
本発明の第２形態は、広告主に設けられた端末と、広告制作者に設けられた端末と、広告制作者により制作された広告をデジタル記録媒体に格納する広告格納者に設けられた端末と、広告が格納されたデジタル記録媒体を包装して頒布者に配送する配送センタに設けられた端末と、広告が格納されたデジタル記録媒体を頒布する頒布者に設けられた端末と、前記各端末とネットを介して接続されているコントロールセンタに設けられたコンピュータと、を備えてなる広告システムであって、前記広告格納者により、デジタル記録媒体の残部への書き込みが可能な状態でその一部に広告などの特定の情報が、当該デジタル記録媒体へのアクセスがなされた際にその情報が自動的にまたは所定の操作により表示されるようにして格納され、前記頒布者により、所定の形態で前記デジタル記録媒体の頒布がさなれることを特徴とする広告システムに関する。
【０００８】
本発明の第３形態は、デジタル記録媒体であって、残部への書き込みが可能な状態でその一部に広告などの特定の情報が、当該デジタル記録媒体へのアクセスがなされた際にその情報が自動的にまたは所定の操作により表示されるようにして格納されてなることを特徴とするデジタル記録媒体に関する。
【０００９】
本発明の第３形態においては、特定の情報が、消去に対するプロテクトがかけられて格納されてなるのが好ましい。
【００１０】
本発明の第４形態は、前記デジタル記録媒体を所要数含むパッケージであって、各デジタル記録媒体に格納されている情報が異なっていることを特徴とするパッケージに関する。
【００１１】
【作用】
本発明は前記の如く構成されているので、潜在需要者や潜在顧客などの利便性を損なうことなく、広告主などはそれらの者に伝達したい情報を自動的にまたは所定の操作により反復継続して伝達することができる。
【００１２】
【発明の実施の形態】
以下、添付図面を参照しながら本発明を実施形態に基づいて説明するが、本発明はかかる実施形態のみに限定されるものではない。
【００１３】
本発明の広告方法に用いられる広告システムの一実施形態を図１に概略図で示す。
【００１４】
広告システムＳは、図１に示すように、広告主１０と、広告主１０から依頼された広告を制作する広告制作者２０と、その制作された広告をデジタル記録媒体に格納する広告格納者３０と、広告が格納されたデジタル記録媒体（以下、格納記録媒体という）のパッケージを製作するパッケージ製作者４０と、格納記録媒体を包装して頒布者６０に配送する配送センタ５０と、配送センタ５０から配送されてきた格納記録媒体を所望形態で頒布する頒布者６０と、それらを統括するコントロールセンタ１００とを主要構成要素として備えてなる。
【００１５】
広告主１０は、例えば自社製品や自社商品の宣伝を希望する企業や、イベントなどを実行する団体とされる。
【００１６】
広告制作者２０は、例えばグラフィクデザイナーやグラフィクデザイナーを有するデザイン事務所とされ、広告主１０の要求にマッチした広告を例えばコンピュータグラフィクスで制作する。
【００１７】
広告格納者３０は、広告制作者２０により制作された広告をデジタル記録媒体に格納や埋込する能力を有する者とされる。例えば、ＣＤ−Ｒなどのデジタル記録媒体加工業者やデジタル記録媒体製造者とされる。
【００１８】
ここで、広告のデジタル記録媒体への格納や埋込は、残部への書き込みが可能な状態としてその一部に当該デジタル記録媒をパソコンなどの読取装置や書込装置にセットしてそれにアクセスした場合に、自動的にまたはクリックなどの所定の操作により広告が表示画面に表示されるようにしてなされる。デジタル記録媒にかかる状態としてその一部への広告などの格納や埋込は、公知の各種手法を好適に用いることができ、その手法に特に限定はない。なお、データ消去を行って再度の書き込みがなし得るタイプのデジタル記録媒体に広告が格納される場合は、ユーザによる広告の消去ができない形態で格納や埋込がなされる。例えば、消去に対するプロテクトがなされてデジタル記録媒体に格納や埋込がなされる。
【００１９】
また、デジタル記録媒体に格納される広告の割合は、デジタル記録媒体のユーザが利用可能な記録容量の１０％以下、好ましくは５％以下とされる。デジタル記録媒体に格納される広告の割合をこのようにするのは、この広告が格納された記録媒体に通常販売されている記録媒体とほぼ同等の利用可能性を担保させるためである。
【００２０】
パッケージ製作者４０は、例えば広告制作者２０によりデザインされたパッケージをパッケージ製作仕様書に基づいて製作して配送センタ５０に供給するものとされる。パッケージ製作仕様書は、例えば、パッケージのデザイン、パッケージの材質、製作数量、納期、納品先などの指示を含んでなるものとされる。
【００２１】
配送センタ５０は、広告が格納されたデジタル記録媒体を発送仕様書にしたがった包装や梱包を行って頒布者６０に配送するものとされる。発送仕様書は、例えば、包装形態、発送枚数、梱包形態、発送先、搬入日、発送日などの指示を含んでなるものとされる。
【００２２】
頒布者６０は、例えば電気製品の量販店、パソコンショップ、デパート、ホテル、レストラン、劇場、病院、駅、空港、旅行代理店などの運営者とされて、それが運営する営業所などの適宜個所において頒布要領書にしたがって格納記録媒体を頒布するものとされる。頒布要領書は、例えば、頒布形態（例えば店頭にラックを設けそれに載置して顧客が自由に持ち帰ることができるようにする。あるいは、格安の記録媒体として販売する。）、頒布期間などの指示を含んでなるものとされる。なお、格安の記録媒体とすることは、広告主が記録媒体の製造コストを広告費の形態で負担することにより実現される。
【００２３】
コントロールセンタ１００はコンピュータ１１０を備えてなるものとされ、図２に示すように、コンピュータ１１０のデータベース１２０には広告主１０のデータ（管理番号（ＩＤ番号）を含む）１２１、広告制作者２０のデータ（管理番号（ＩＤ番号）を含む）１２２、広告格納者３０のデータ（管理番号（ＩＤ番号）を含む）１２３、パッケージ製作者４０のデータ（管理番号（ＩＤ番号）を含む）１２４、配送センタ５０のデータ（管理番号（ＩＤ番号）を含む）１２５、頒布者６０のデータ（管理番号（ＩＤ番号）を含む）１２６、パッケージ製作仕様に関するデータ１２７、発送仕様に関するデータ１２８、頒布要領に関するデータ１２９などが格納されている。また、コンピュータ１１０は、広告主１０に設けられた端末１１と、広告制作者２０に設けられた端末２１と、広告格納者３０に設けられた端末３１と、パッケージ製作者４０に設けられた端末４１と、配送センタ５０に設けられた端末５１と、頒布者６０に設けられた端末６１とネット、例えばインターネットＮを介して接続されている。
【００２４】
次に、かかる構成とされた広告システムＳによる広告方法の一例について説明する。なお、以下の処理は、広告主１０などに付与されている管理番号を利用してなされ、これによりコントロールセンタ１００によるコントロールの実効性および処理の迅速性が担保されるようにされている。
【００２５】
（１）広告主１０から広告制作依頼がコントロールセンタ１００になされる。この依頼は、具体的には、広告主１０の端末１１からコントロールセンタ１００のコンピュータ１１０に広告制作依頼を送信することによりなされる。この依頼には、広告に関する仕様、例えば希望する広告の形態、予算、広告の対象となる製品や商品、イベントの内容、広告を格納するデジタル媒体の種類およびサイズ、広告を格納する媒体の製作枚数、納期などに関する情報が含まれている。
【００２６】
（２）コントロールセンタ１００は広告制作依頼を受けると、案件番号台帳に基づいて案件番号を発行するとともに、その案件に関するファイル（以下、案件ファイルという）を作成して広告主名およびその依頼内容を格納する。
【００２７】
（３）コントロールセンタ１００はコンピュータ１１０のデータベース１２０に格納されているパッケージ製作仕様に関するデータ（パッケージデータ１２７）および頒布要領に関するデータ（頒布データ１２９）に基づいて、依頼内容にマッチすると想定されるパッケージ案および頒布要領案を作成して案件ファイルに格納する。
【００２８】
（４）コントロールセンタ１００はその保有している広告制作者２０のデータから依頼内容にマッチした広告制作者２０を選定し、その選定した広告制作者２０に依頼内容を案件番号とともに送付して広告案の作成を依頼する。この依頼は、具体的には、コントロールセンタ１００のコンピュータ１１０から依頼内容および案件番号を広告制作者２０の端末２１に送信することによりなされる。
【００２９】
（５）依頼された広告制作者２０は、依頼内容にしたがって広告案を作成してコントロールセンタ１００に提出する。この提出は、具体的には、広告制作者２０の端末２１から広告案をコントロールセンタ１００のコンピュータ１１０に送信することによりなされる。
【００３０】
（６）コントロールセンタ１００は、提出された広告案にパッケージ案と頒布要領案とそれらに対する見積金額を含めて広告主１０に提出する。この提出は、具体的には、コントロールセンタ１００のコンピュータ１１０から広告案などを広告主１０の端末１１に送信することによりなされる。
【００３１】
（７）広告主１０との調整が広告主１０の端末１１とコントロールセンタ１００のコンピュータ１１０とを利用してなされる。例えば、広告案の訂正や修正、パッケージ案の訂正や修正などが、広告主１０の端末１１とコントロールセンタ１００のコンピュータ１１０との間でなされる。この場合、広告主１０と広告制作者２０との調整は、コントロールセンタ１００のコンピュータ１１０を介して各端末１１，２１間でなされる。
【００３２】
（８）広告主１０は、調整結果に基づいて制作を依頼する広告や製作を依頼するパッケージなどを決定してコントロールセンタ１００に通知する。この通知は、具体的には、広告主１０の端末１１からコントロールセンタ１００のコンピュータ１１０に決定した広告などを送信することによりなされる。
【００３３】
（９）コントロールセンタ１００は、広告制作者２０に実施する広告（以下、実施広告という）の制作を依頼する。この依頼は、具体的には、コントロールセンタ１００のコンピュータ１１０から広告制作者２０の端末２１に実施広告の制作依頼を送信することによりなされる。
【００３４】
（１０）広告制作者２０は、実施広告が完成するとそれをコントロールセンタ１００に納品する。この納品は、具体的には、広告制作者２０の端末２１から完成した実施広告をコントロールセンタ１００のコンピュータ１１０に送信することによりなされる。
【００３５】
（１１）コントロールセンタ１００は、完成した実施広告に対する広告主１０の承認を得た後に、広告格納者３０に対しデジタル記録媒体に実施広告の格納を指示する。この指示は、具体的には、コントロールセンタ１００のコンピュータ１１０から実施広告および格納仕様書を広告格納者３０の端末３１に送信することによりなされる。ここで、この格納仕様書には、格納するデジタル記録媒体の種類、実施広告を格納する枚数、納期、納入先などに関する情報が含まれている。
【００３６】
（１２）コントロールセンタ１００はパッケージ製作者４０にパッケージの製作を依頼する。この依頼は、具体的には、コントロールセンタ１００のコンピュータ１１０から決定されたパッケージデザインおよびパッケージ製作仕様書をパッケージ製作者４０の端末４１に送信することによりなされる。
【００３７】
（１３）コントロールセンタ１００は、配送センタ５０に発送仕様書を送付し、頒布者６０に頒布要領書を送付してそれらの準備を促す。この送付は、具体的には、コントロールセンタ１００のコンピュータ１１０から配送センタ５０の端末５１および頒布者６０の端末６１にそれぞれ発送仕様書および頒布要領書を送信することによりなされる。
【００３８】
（１４）広告格納者３０は実施広告を指定されたデジタル記録媒体、例えばＣＤ−Ｒに格納して、つまり格納記録媒体として配送センタ５０に納品する。また、広告格納者３０はコントロールセンタ１００に発送完了を報告する。この報告は、具体的には、広告格納者３０の端末３１からコントロールセンタ１００のコンピュータ１１０に発送の日時、発送した格納記録媒体の枚数などを送信することによりなされる。
【００３９】
（１５）パッケージ製作者４０はパッケージ製作仕様書にしたがってパッケージを製作して配送センタ５０に納品する。また、パッケージ製作者４０はコントロールセンタ１００に発送完了を報告する。この報告は、具体的には、パッケージ製作者４０の端末４１からコントロールセンタ１００のコンピュータ１１０に発送の日時、発送したパッケージの枚数などを送信することによりなされる。
【００４０】
（１６）配送センタ５０は納入された格納記録媒体を納入されたパッケージをにより発送仕様書にしたがって包装した後、必要に応じて梱包などを行って指定された頒布者に発送する。例えば、格納記録媒体を取得した者が友人にメッセージを添えて送ることができるように、メッセージ欄が設けられた紙パックにより格納記録媒体を包装する。あるいは、電気製品の量販店やパソコンショップにおける格安のデジタル記録媒体用として数種類の格納記録媒体を一パックにして包装する。例えば、Ａ社の広告が格納されたＣＤ−Ｒ、Ｂ社の広告が格納されたＣＤ−Ｒ、…を一パックにして包装する。そして、配送センタ５０は格納記録媒体の頒布者６０への発送が完了した後、発送完了をコントロールセンタ１００に報告する。この報告は、具体的には、配送センタ５０の端末５１からコントロールセンタ１００のコンピュータ１１０に発送日時、発送先、包装形態、発送数量などを送信することによりなされる。
【００４１】
（１７）頒布者６０は納入された格納記録媒体を頒布要領書にしたがって頒布してその旨コントロールセンタ１００に報告する。この報告は、具体的には、頒布者６０の端末６１からコントロールセンタ１００のコンピュータ１１０に頒布日などを送信することによりなされる。例えば、旅行に関する広告が格納された格納記録媒体であれば旅行代理店の特設コーナに来店者が自由に持ち帰ることができるようにして置かれて配布される。また、格安のデジタル記録媒体の形態で包装されたものであれば、パソコンショップの激安コーナに置かれて販売される。
【００４２】
（１８）頒布報告を受けたコントロールセンタ１００は、広告主１０にその旨報告する。この報告も、コントロールセンタ１００のコンピュータ１１０と広告主１０の端末１１を介してなされる。
【００４３】
このように、本実施形態によれば、潜在需要者や潜在顧客などは、必要とする情報が格納され、しかも通常のデジタル記録媒体とほぼ同様に使用可能なデジタル記録媒体を無償で入手することができる。また、頒布された格納記録媒体は、その利用の際に最初に広告などの格納された情報が表示されるようにされているので、広告主１０は潜在需要者や潜在顧客など対して自動的にまたはクリックなどの所定の操作により反復させて製品や商品などの宣伝がなし得る。
【００４４】
また、パソコンショップなどで格納記録媒体を格安のデジタル記録媒体として購入した者は、通常のデジタル記録媒体とほぼ同等に利用可能なデジタル記録媒体を格安に入手できる。一方、広告主１０は不特定多数の者に自己の製品や商品の宣伝などを自動的にまたはクリックなどの所定の操作により反復させてなし得る。
【００４５】
以上、本発明を実施形態に基づいて説明してきたが、本発明はかかる実施形態のみに限定されるものではなく、種々改変が可能である。例えば、本実施形態では製品や商品の宣伝をする場合を主として説明されているが、本発明は各種の情報を伝達する場合について利用でき、例えば政府機関や公共団体の情報伝達にも利用できる。
【００４６】
また、広告制作者は、頒布する格納記録媒体のパッケージなどの包装形態や頒布形態に関するデザインをなすようにしてもよい。さらに、複数の広告制作者を選定していわゆる競争入札形式とすることもできる。
【００４７】
さらに、本実施形態ではデジタル記録媒体としてＣＤ−Ｒを例に取り説明されているが、本発明が適用できるデジタル記録媒体はＣＤ−Ｒに限定されるものではなく、各種のデジタル記録媒体とでき例えばＣＤ、ＣＤ−ＲＷ、ＤａｔａＭＤ、ＭＤ、ＤＶ、ｍｉｎｉＤＶ、ＤＶＤ、ＤＶＤ−ＲＷ、ＦＤ、ＭＯ、スマートメディア、メモリースティックなどとすることもできる。
【００４８】
【発明の効果】
以上詳述したように、本発明によれば、潜在需要者や潜在顧客などの利便性を損なうことなく、広告主などはそれらの者に伝達したい情報を自動的にまたはクリックなどの所定の操作により反復継続して伝達することができるという優れた効果が得られる。
【図面の簡単な説明】
【図１】本発明の広告方法に用いられる広告システムの一実施形態の概略図である。
【図２】同システムに用いられるコンピュータの概略図である。
【符号の説明】
１０        広告主
１１        端末
２０        広告制作者
２１        端末
３０        広告格納者
３１        端末
４０        パッケージ製作者
４１        端末
５０        配送センタ
５１        端末
６０        頒布者
６１        端末
１００        コントロールセンタ
１１０        コンピュータ
１２０        データベース
Ｓ        広告システム
Ｎ        インターネット
【図１】
2004317759.tif 000003
【図２】
2004317759.tif 000004